(57)【要約】      （修正有）【課題】使用後に手に残った化粧品が容器用キャップの外形部に付着しても、化粧品を吸着浸透して常に清潔な状態に維持できる化粧品容器用キャップを提供する。【解決手段】化粧品容器用キャップは連続多孔質材料を用いて射出成形して構成される。キャップ全体が連続多孔質材料を用いて構成されてもよく、キャップ開閉時に指で触れる外形の一部に連続多孔質材料を用いて射出成形した部材が一体化して構成されてもよい。更に日常で使用頻度等を鑑みて常に清潔な状態を維持するために連続多孔質材料に予め成形用抗菌剤又は消臭剤を添加しておいてもよい。キャップに付着した化粧品の放置による雑菌の繁殖を防止したり、迷惑の元となる臭いの脱臭がなされる。【選択図】図２
0003223109.tif 000002
【実用新案登録請求の範囲】
【請求項１】
連続多孔質材料を用いて射出成形してなる化粧品容器用キャップ。
【請求項２】
化粧品容器用キャップ全体が連続多孔質材料を用いて射出成形にて構成されたことを特徴とする請求項１記載の化粧品容器用キャップ。
【請求項３】
化粧品容器用キャップ開閉時に指で触れる外形の一部に連続多孔質材料を用いて射出成形した部材を一体化して構成されたことを特徴とする請求項１記載の化粧品容器用キャップ。
【請求項４】
射出成形を行う連続多孔質材料に予め成形用抗菌剤又は消臭剤が添加されていることを特徴とする請求項１、請求項２又は請求項３いずれかに記載の化粧品容器用キャップ。
【考案の詳細な説明】
【技術分野】
【０００１】    本考案は、化粧品容器用キャップに関し、特に化粧品容器内の化粧品を手や指で掬い取り、使用後、指等に化粧品が残った状態であっても清潔な状態で維持出来る化粧品容器用キャップに関するものである。
【背景技術】
【０００２】    従来の化粧品容器用キャップは、内容物である化粧品が入った容器本体とその上部にネジやヒンジ等の手段でキャップがフタの機能として存在している。
【考案の概要】
【考案が解決しようとする課題】
【０００３】  先述の化粧品容器用キャップの場合、容器本体をネジやヒンジ等の手段でキャップを外した後、内容物である化粧品を手や指で掬い取り、髪の毛、皮膚等に塗布した後、化粧品が手や指に若干であっても付着、残存した状態で、化粧品容器用キャップを閉めるという動作をせねばならないため、キャップ自体に化粧品が付着したままになり、基本的に量が少ないためにわざわざ拭き取ることはしないため、化粧品容器用キャップに付着した化粧品の性質によっては埃を引き寄せたり、大変不衛生な状態のままで次回使用時まで放置される課題があった。【０００４】  もちろん先述のように埃を引き寄せるだけでなく、化粧品容器用キャップに付着したままの化粧品自体から放出される香りがいつまでも臭ってしまうという欠点もあった。
【課題を解決するための手段】
【０００５】  上記課題を解決するために本考案は連続多孔質材料を用いて射出成形してなることを特徴とする。【０００６】    なお、本考案の化粧品容器用キャップ全体が連続多孔質材料を用いて射出成形にて構成されてもよく、更には化粧品容器用キャップ開閉時に指で触れる外形の一部に連続多孔質材料を用いて射出成形した部材を一体化して構成された化粧品容器用キャップであっても良い。【０００７】    又、日常で使用頻度等を鑑みて常に清潔な状態を維持するために射出成形を行う連続多孔質材料に予め成形用抗菌剤又は消臭剤が添加されていることを特徴とした化粧品容器用キャップであっても良い。
【考案の効果】
【０００８】  本考案の化粧品容器用キャップは、以上のような構成であり、特に連続多孔質材料は特開２００１−２８２５号に開示された製造方法により得られる多孔体であるため、化粧品次代がクリーム状、ワックス状、オイル状等であったとしても使用後に手に残った化粧品が化粧品容器用キャップとしてフタをした際に化粧品容器用キャップの外形部に付着したままであったとしても先述のクリーム状、ワックス状、オイル状の化粧品自体を吸着浸透させることが出来、常に清潔な状態の化粧品容器用キャップとして維持出来る。【０００９】    もちろん、化粧品容器用キャップ自体をすべて連続多孔質材料を用いて射出成形にて製造しても構わないが、例えば化粧品容器用キャップ開閉時に指で触れる外形の一部のみに化粧品容器用キャップの形状に自然に沿うようはめ込んで使用しても構わない。【００１０】    基本的に化粧品容器用キャップは、円形で外周にローレットが形成され、ネジ式で開け閉めするものが多いため、その外周のローレットの一部をいわゆる輪っか状にはめ込んで一体化して化粧品容器用キャップ外周とほぼ同じ大きさとして使用すれば、デザイン的にもすっきりとしたものになる。【００１１】  更に本考案の化粧品容器用キャップに用いる連続多孔質材料に予め成形用の抗菌剤や脱臭剤が添加されて射出成形により作製されたものであれば、先述の化粧品自体の吸着浸透効果以外に、使用後の化粧品容器用キャップに付着した化粧品の放置による雑菌の繁殖を防止したり、迷惑の元となる臭いの脱臭がなされた優れたものとなる。
【図面の簡単な説明】
【００１２】
【図１】本考案の化粧品容器用キャップの一実施形態を示す斜視図である。
【図２】本考案の化粧品容器用キャップの外周に連続多孔質材料からなる部材が円周状にはめ込み構成された別の一実施形態を示す斜視図である。
【図３】本考案の図２のＡ−Ａ部の断面図である。
【考案を実施するための形態】
【００１３】  本考案における化粧品容器用キャップの大きさ、形状、デザイン、材質、製造方法等は特に限定されないが、特に連続多孔質材料が特開２００１−２８２５号に開示された製造方法により得られる多孔体が用いられる。
【００１４】    なお、本考案でいう化粧品とは、具体的には、乳液、洗顔料、クレンジング、美容液、クリーム等の基礎化粧品、ファンデーション、マスカラ、口紅、グロス等の仕上げ化粧品、更には香水、ヘアトニック等があげられる。
以下、実施側と図面に基づき説明する。
【実施側】
【００１５】  図１は、本考案の化粧品容器用キャップ（１）がネジ式において散り付けられる化粧品容器（２）と該容器（２）の容器側ネジ部（３）をそれぞれ示している。なお、この際化粧品容器用キャップ（１）は連続多孔質材料を用いて射出成形されている。
【００１６】    図２は、本考案の化粧品容器用キャップ（１）の外周に射出成型により構成された連続多孔質材料からなる部材（５）が化粧品容器用キャップ（１）の形状に沿って円周状にはめ込み構成された状態を示している。
【００１７】  図３は、本考案の図２のＡ−Ａ部の断面を示したものであり、化粧品容器用キャップ（１）の外周に先述の連続多孔質材料からなる部材（５）がはめ込まれて設置されており、化粧品容器用キャップ（１）内側には化粧品容器（２）の容器側ネジ部（３）とはめ合うためのキャップ側ネジ部（４）が形成されているのがわかる。
【産業上の利用の可能性】
【００１８】  本考案の化粧品容器用キャップは、連続多孔質材料を射出成形によって製造されるため、クリーム状等の種々の化粧品を使用後に手に残った化粧品が化粧品容器用キャップでフタをした際の化粧品容器用キャップの外部に付着したままであっても、化粧品自体を吸着浸透させることが出来るため、常に清潔な状態の化粧品容器用キャップとして維持出来る。
【００１９】  一方で、化粧品容器用キャップ自体を全て連続多孔質材料を用いて製造しても良いが、例えば化粧品容器用キャップの開閉時に指が触れる外形の一部のみに化粧品容器用キャップの形状に沿うようにはめ込んで使用することを可能なため、化粧品容器自体のデザインを損なうことなく使用できるものとなる。
【００２０】  又、予め成形用の抗菌剤や脱臭剤を添加して作製したものであれば、使用後の化粧品容器用キャップに付着した化粧品の放置による雑菌の繁殖防止や、化粧品自体の臭いを脱臭出来るものとなる。
【符号の説明】
【００２１】１  化粧品容器用キャップ
２  化粧品容器
３  容器側ネジ部
４  キャップ側ネジ部
５  連続多孔質材料からなる部材
【図１】
0003223109.tif 000003
【図２】
0003223109.tif 000004
【図３】
0003223109.tif 000005